(57)【特許請求の範囲】
【請求項１】
ケース本体と該ケース本体を開閉する蓋部を有する収納ケースに、電動工具の電源として用いられる充電可能なバッテリパックを複数個収納し、収納した複数個のバッテリパックの電力を外部に出力するための電源出力部を備えた電源装置であって、
前記複数個のバッテリパックは、前記ケース本体内に設けられたバッテリ取り付け部に電気的に取り付けられて収容可能で、
前記ケース本体に、前記電源出力部からの電力の出力を許可する起動ボタンと、出力される電力の電圧を切り替え可能な電源制御装置を備え、
前記出力される電力の電圧について少なくとも２種類を切り替え可能であるとともに、
前記バッテリパックの前記バッテリ取り付け部に対する取り外しのための移動方向に向けて、前記起動ボタンと、前記バッテリパックの前記バッテリ取り付け部に対する取り付けロック状態を解除するアンロックボタンが配置される構成とした電源装置。
【請求項２】
請求項１に記載した電源装置であって、前記複数のバッテリ取り付け部は、少なくとも縦横２列に配置した電源装置。
【請求項３】
請求項１又は２に記載した電源装置であって、前記バッテリパックを前記バッテリ取り付け部に取り付けた状態のまま充電可能とした電源装置。
【請求項４】
請求項１〜３の何れか１項に記載した電源装置であって、前記ケース本体に前記バッテリパックを充電するための充電機能を内装した電源装置。
【請求項５】
請求項１〜４の何れか１項に記載した電源装置であって、直流電流の電圧について少なくとも２種類を切り替えて出力可能な構成とした電源装置。
【請求項６】
請求項１〜５の何れか１項に記載した電源装置であって、前記電圧を切り替えるための切り替えボタンを前記電源制御装置に備えた電源装置。
【請求項７】
請求項１〜６の何れか１項に記載した電源装置であって、前記バッテリ取り付け部に対する前記バッテリパックの取り付け、取り外し方向を前記ケース本体の底部に対して交差する方向とした電源装置。
【請求項８】
請求項１〜７の何れか１項に記載した電源装置であって、前記バッテリ取り付け部にバッテリパックを取り付けた電源装置。
【請求項９】
請求項１〜８の何れか１項に記載した電源装置であって、前記ケース本体の左右方向同じ側の側部に、前記電源制御装置と前記電源出力部を備えた電源装置。
【請求項１０】
請求項１〜９の何れか１項に記載した電源装置であって、前記収納ケースは上下に段積み可能であり、上段側若しくは下段側の他の収納ケースに対する結合手段を備えた電源装置。
【発明の詳細な説明】
【技術分野】
【０００１】
この発明は、例えばねじ締め機等の電動工具の電源として用いられる電源装置に関する。
【背景技術】
【０００２】
ねじ締め機等の電動工具は、先端工具やバッテリ等の付属品とともに専用の収納ケースに収納して持ち運ぶことができる。この収納ケースは樹脂製のハードケースで、一般にプラケースとも称されている。従来、この種の収納ケースに関する様々な技術が下記の特許文献に開示されている。これら特許文献に開示されているように、収納ケースは、上方開放のケース本体とこれを開閉する蓋部を備えている。蓋部の閉じ状態は、ラッチ（ロック部材）によりロックされる。使用者は、ラッチを開放側に操作することにより蓋部を開放することができ、ラッチを閉じ側に操作することにより蓋部を閉じ状態にロックすることができる。
【０００３】
従来より、この種の収納ケースには様々な工夫が施されている。例えば、下記の特許文献１に開示されているように複数の収納ケースを上下に段積みした際における搬送若しくは取り扱いの利便性を高めるための工夫がなされている。
【先行技術文献】
【特許文献】
【０００４】
【特許文献１】特開２０１３−２２６６２２号公報
【特許文献２】特開２０１３−１９３１７４号公報
【特許文献３】特開２０１１−１３１３５７号公報
【発明の概要】
【発明が解決しようとする課題】
【０００５】
しかしながら、上記段積み対応の収納ケースは、少なくとも電動工具を収納することを主たる目的として用いられるもので、電動工具以外の例えばバッテリパック等の周辺付属品についてはあくまで付属部品として収納されるに過ぎなかった。本発明は、電動工具を収納するために用いられている収納ケースを有効活用することにより、従来にない新規かつ有用な電源装置を提供することを目的とする。
【課題を解決するための手段】
【０００６】
上記の課題は以下の各発明により解決される。第１の発明は、ケース本体とケース本体を開閉する蓋部を有する収納ケースに、電動工具の電源として用いられる充電可能なバッテリパックを複数個収納し、収納した複数個のバッテリパックの電力を外部に出力するための電源出力部を備えた電源装置である。第１の発明によれば、収納ケースを複数個のバッテリパックを収納しておくためのケースとして利用できるほか、外部機器に電源を供給するための電源装置としても利用することができ、当該収納ケースの利便性を高めることができる。
【０００７】
第２の発明は、第１の発明において、収納ケースに持ち運び用のハンドルを備えた電源装置である。第２の発明によれば、当該電源装置を持ち運ぶ際の利便性を高めることができる。
【０００８】
第３の発明は、第１又は第２の発明において、収納ケースに、バッテリパックに加えて電動工具を収納可能な電源装置である。第３の発明によれば、収納ケースの利便性をさらに高めることができる。
【０００９】
第４の発明は、第１〜第３の何れか一つの発明において、収納ケースは上下に段積み可能であり、上段側若しくは下段側の他の収納ケースに対する結合手段を備えた電源装置である。第４の発明によれば、当該電源装置を段積み可能な電動工具の収納ケースと同様に取り扱うことができ、この点で当該電源装置の取り扱い性を一層高めることができる。
【００１０】
第５の発明は、第１〜第４の何れか一つの発明において、電源出力部の出力電圧を切り替える電源制御装置を備えた電源装置である。第５の発明によれば、定格電圧の異なる外部機器に対してそれぞれ電源を供給することができ、この点で当該収納ケースの利便性及び外部機器に対する汎用性をより高めることができる。
【００１１】
第６の発明は、第１〜第５の何れか一つの発明において、電源出力部は、外部電源出力用の接続手段として任意に選択して外部機器に接続可能な複数種類の接続機器を接続可能な電源装置である。第６の発明は、電源の接続形態が異なる外部機器を接続することができ、この点で当該収納ケースの利便性及び外部機器に対する汎用性を高めることができる。
【００１２】
第７の発明は、ケース本体と、ケース本体を開閉する蓋部を有する収納ケースであって、外面に、電動工具の電源として用いられるバッテリパックを保持するためのバッテリ保持部を備えた収納ケースである。第７の発明によれば、収納ケースの外面を有効活用できるとともに、当該収納ケースの内部に収納した物品に加えてバッテリパックの持ち運びの利便性を高めることができる。
【００１３】
第８の発明は、第７の発明において、バッテリ保持部は、バッテリパックを下方にスライドさせて取り付け、上方にスライドさせて取り外しをするためのレール部を備えた収納ケースである。第８の発明によれば、バッテリ保持部よりも上方領域であって当該収納ケースを設置した床面や作業台等の邪魔になる部位がない領域においてバッテリパックをバッテリ保持部に対して楽に取り付け、取り外しすることができるとともに、バッテリパックを下方に向けてスライドさせて取り付ける構成であるので、振動等による当該バッテリパックの不用意な脱落を防止することができる。
【００１４】
第９の発明は、第８の発明において、蓋部は、バッテリ保持部に保持されたバッテリパックのロック爪部が係合される係合部を有し、ケース本体に対して閉じられた状態では、係合部にロック爪部を係合させてバッテリパックのバッテリ保持部に対する保持状態をロックし、ケース本体を開放してロック状態を解除可能な構成とした収納ケースである。第９の発明によれば、蓋部の係合部に対するロック爪部の係合により、バッテリ保持部に保持したバッテリパックの脱落を防止することができるとともに、蓋部を開ければこのロック状態が解除されてバッテリパックをバッテリ保持部から迅速に取り外すことができ、この点でバッテリパックの取り付け、取り外し時の操作性及び利便性を高めることができる。
【図面の簡単な説明】
【００１５】
【図１】本発明の実施形態に係る電源装置の全体斜視図である。本図は、収納ケースの蓋部を閉じた状態を示している。
【図２】本発明の実施形態に係る電源装置の全体斜視図である。本図は、収納ケースの蓋部を開けた状態を示している。
【図３】本発明の実施形態に係る電源装置の全体斜視図である。本図は、バッテリパックをすべて取り出した状態を示している。
【図４】バッテリ取り付け部に対するバッテリパックの取り付け操作を示す図である。
【図５】バッテリパック単体の斜視図である。
【図６】バッテリパック単体を図５中矢印(VI)方向から見た図である。
【図７】バッテリパック単体を図５中矢印(VII)方向から見た上面図である。
【図８】本発明の実施形態に係る電源装置を、他の収納ケースの上側に段積みした状態を示す斜視図である。
【図９】収納ケースの全体斜視図である。本図は、外部取り付け部にバッテリパックを全て取り付けた状態を示している。
【図１０】収納ケースの全体斜視図である。本図は、外部取り付け部からバッテリパックをすべて取り外した状態を示している。
【発明を実施するための形態】
【００１６】
次に、本発明の実施形態を図１〜図１０に基づいて説明する。図１，２に示すように本実施形態の電源装置Ｐは、収納ケース１に多数個のバッテリパック１０を収納した構成を備えている。収納ケース１は、上方開放のケース本体２とこれを開閉する蓋部３を備えている。ケース本体２及び蓋部３はそれぞれ合成樹脂の成形により製作されており、当該収納ケース１はいわゆるハードケースとなっている。
【００１７】
蓋部３は、ケース本体２の後部にヒンジ部４を介して上下に回動可能に結合されている。蓋部３の上面には、持ち運び用のキャリングハンドル９が設けれている。キャリングハンドル９は、上下に回動可能に支持されており、図１に示すように蓋部３の上面からはみ出さない位置に収納することができる。蓋部３の左右側部には、ベルト掛け部３ｄ，３ｄが設けられている。左右のベルト掛け部３ｄ，３ｄ間に肩掛けベルト（図示省略）を掛け渡すことにより使用者は当該収納ケース１を肩に掛けて持ち運ぶことができる。
【００１８】
蓋部３は、合計４箇所に設けたロック部材（ラッチ）５〜８により図１に示す閉じ位置にロックされる。合計４箇所のロック部材５〜８は、前面左右寄りと左右側部の後部寄りに配置されている。４箇所のロック部材５〜８を含む各ロック機構は同様に構成されている。以下、前面左側のロック部材５を例にしてそのロック機構を説明する。ケース本体２の前面左側には、上下２段の本体側凹部２ａ，２ｄが設けられている。上下２段の本体側凹部２ａ，２ｄのうち、上側の本体側上凹部２ａ内にロック部材５が支持されている。ロック部材５は、本体側上凹部２ａ内において上下に変位可能かつ前後に傾動可能に支持されている。ロック部材５は、概ね平板形状を有する樹脂成形部品で、後ろ側のロック位置へ傾動させると本体側上凹部２ａに収容されて前方へはみ出さない状態となる。
【００１９】
本体側上凹部２ａの底部には、２つの本体側凸部２ｂ，２ｂが設けられている。本体側下凹部２ｄの底部には、２つの連結凸部２ｃ，２ｃが設けられている。蓋部３の前面左側には、ケース本体２側の凹部２ａ，２ｄに連続する蓋側凹部３ａが設けられている。この蓋側凹部３ａには２つの蓋側凸部３ｂ，３ｂが設けられている。それぞれ左右対をなす本体側凸部２ｂ，２ｂと連結凸部２ｃ，２ｃと蓋側凸部３ｂ，３ｂは、すべて同じ寸法のブロック体形状を有して、左右同じ間隔に配置されている。
【００２０】
図では見えにくいが、ロック部材５の後面（本体側上凹部２ａの底部に対向する面）には、左右一対の係合凹部が上下二段に設けられている。蓋部３を閉じた状態で、ロック部材５を下側にスライドさせてロック側に傾動させると、その下段側の係合凹部に本体側凸部２ｂ，２ｂが弾性的に嵌め込まれるとともに、その上段側の係合凹部に蓋側凸部３ｂ，３ｂが同じく弾性的に嵌め込まれる。これによりロック部材５がロック位置に保持され、従って蓋部３が閉じられた状態にロックされる。この閉じロック状態でロック部材５を前方のアンロック側に傾動させれば、本体側凸部２ｂ，２ｂ及び蓋側凸部３ｂ，３ｂに対する係合状態が外れて図２に示すように蓋部３を開放可能となる。
【００２１】
本体側下凹部２ｄに設けた連結凸部２ｃ，２ｃは、当該収納ケース１を複数段に段積みした場合に、これら複数の収納ケース１〜１を一体で取り扱うことができるように連結する機能を有している。例示した収納ケース１を少なくとも２段に段積みした場合、ロック部材５を上側へスライドさせてロック側に傾動させると、その下段側の係合凹部に蓋側凸部３ｂ，３ｂが弾性的に嵌め込まれ、その上段側の係合凹部に上側に段積みした収納ケース１側の連結凸部２ｃ，２ｃが弾性的に嵌め込まれる。この操作を４箇所のロック部材５〜８について行うことにより、当該収納ケース１が蓋部３の閉じ状態にロックされるとともに、段積みした上側の収納ケース１と連結されて一体化された状態となる。段積みした複数の収納ケース１についてロック部材５〜８を同様に操作することにより、これら複数段に段積みした収納ケース１〜１を一体的に取り扱うことができることから、その取り扱い性及び搬送性が格段に高まり、また振動等により荷崩れしにくい段積み状態を得ることができる。図８には、当該収納ケース１を上下２段に段積みした状態が示されている。この段積みについてはさらに後述する。
【００２２】
本実施形態に係る収納ケース１は、ねじ締め機等の手持ち式電動工具ではなく、図２に示すように多数のバッテリパック１０が収納される点に特徴を有している。本実施形態では、図２に示すように１０個のバッテリパック１０が収納されている。１０個のバッテリパック１０は、単に収納されているだけでなく、電気的に接続されて電力を出力可能な状態で収納されている。図２に示すように１０個のバッテリパック１０は、左右方向に４個並列に並んだ状態のバッテリパック１０の列が前後方向に２列配置され、さらにその後ろ側に２個のバッテリパック１０が左右横並び状態で整然と配置されている。ケース本体２の後部左側には、電源制御装置１３が収納されている。電源制御装置１３は、ケース本体２の当該位置に固定されている。
【００２３】
図３には、１０個のバッテリパック１０を全て取り外した状態が示されている。ケース本体２の底部には、合計１０個のバッテリ取り付け部１１が取り付けられている。図５〜図７に示すようにバッテリパック１０は、直方体形状のバッテリケース内に複数本のセルを内装したもので、本実施形態では出力電圧１８Ｖのリチウムイオンバッテリが用いられている。このバッテリパック１０は、バッテリ取り付け部１１から取り外して、別途用意した充電器で充電することにより繰り返し使用することができる。また、このバッテリパック１０は、電動ねじ締め機や電動ドリル等の他の充電式電動工具のバッテリとしても用いられる汎用の高いスライド取り付け形式のバッテリで、他の充電式電動工具との間で共用する（使い回す）ことができる。
【００２４】
バッテリパック１０の正面には、左右一対のレール受け部１０ａが設けられている。左右レール受け部１０ａの内側に正負の端子受け部１０ｂ，１０ｃが設けられている。正負の端子受け部１０ｂ，１０ｃ間には、充電器との間で各種の制御信号を送受信するためのコネクタ部１０ｄが配置されている。コネクタ部１０ｄの上方には、ロック爪１０ｅが設けられている。このロック爪１０ｅは、バッテリケース内に装着したばねにより正面側へ突き出す方向に付勢されている。図７に示すようにバッテリパック１０の上面には、アンロックボタン１０ｆが設けられている。このアンロックボタン１０ｆは、ロック爪１０ｅと一体に設けられている。このため、アンロックボタン１０ｆを指先で背面側へ押し下げ操作すると、ロック爪１０ｅをばね付勢力に抗して下方へ引き込む方向（アンロック側）に移動させることができる。
【００２５】
各バッテリ取り付け部１１は同様の構成を備えている。図４に示すようにバッテリ取り付け部１１は、左右一対のレール部１１ａを備えている。レール部１１ａは上下方向に延びている。両レール部１１ａの内側には正負の接続端子１１ｂ，１１ｃが配置されている。バッテリ取り付け部１１の上部に、バッテリパック１０側のロック爪１０ｅが嵌り込む係合凹部１１ｄが設けられている。バッテリ取り付け部１１に対してバッテリパック１０を上方から下方へ向けてスライドさせることにより、当該バッテリ取り付け部１１に対して一つのバッテリパック１０が取り付けられる。逆にバッテリパック１０の取り付け状態において、使用者が指先でアンロックボタン１０ｆをアンロック側に押し下げ操作し、これによりロック爪１０ｅを係合凹部１１ｄから退出させた状態で、上方へスライドさせることにより当該バッテリパック１０をバッテリ取り付け部１１から取り外すことができる。
【００２６】
取り外したバッテリパック１０は、図４に示すようにその正面をバッテリ取り付け部１１側に向けた向きで下方へ移動させて左右のレール受け部１０ａにレール部１１ａを進入させることにより、バッテリ取り付け部１１に対して取り付けることができる。バッテリパック１０を下方へスライドさせてロック爪１０ｅが係合凹部１１ｄ内に弾性的に嵌り込むことにより、当該バッテリパック１０がバッテリ取り付け部１１に対して取り付けられた状態にロックされる。バッテリパック１０がバッテリ取り付け部１１に対して取り付けられると、正負の端子受け部１０ｂ，１０ｃに正負の接続端子１１ｂ，１１ｃが進入して当該バッテリパック１０がバッテリ取り付け部１１に対して電気的に接続された状態となる。なお、バッテリパック１０のコネクタ部１０ｄは、バッテリ取り付け部１１に対しては接続されない。このコネクタ部１０ｄは、当該バッテリパック１０を別途用意する充電器に取り付けて充電する場合に、充電器側に各種の制御信号を出力するために充電器側のコネクタ受け部に接続される。
【００２７】
各バッテリ取り付け部１１は、電源制御装置１３に接続されている。１０個のバッテリ取り付け部１１は、電源制御装置１３に接続されている。電源制御装置１３は、１０個のバッテリパック１０の各電力を統合し、逆に切り離して１８Ｖ電源と３６Ｖ電源を切り換えて出力可能とする機能を有している。電源制御装置１３の上面には、装置起動用の一つの起動ボタン１３ａと、１８Ｖ出力と３６Ｖ出力の切り替えを行うための切り替えボタン１３ｂが３つ配置されている。
【００２８】
ケース本体２の左側部には、電源出力部１２が設けられている。電源出力部１２には、３つの接続コネクタ１２ａ，１２ｂ，１２ｃが設けられている。各接続コネクタ１２ａ，１２ｂ，１２ｃに対して電源制御装置１３から１８Ｖ又は３６Ｖの電源が供給される。各接続コネクタ１２ａ，１２ｂ，１２ｃの出力電圧は、上記切り替えボタン１３ｂの押し操作によって１８Ｖ又は３６Ｖに切り替えることができる。
【００２９】
３つの接続コネクタ１２ａ，１２ｂ，１２ｃにはそれぞれ外部機器２０を接続するための接続機器２１，２２，２３を接続することができる。図２には、接続機器２１として差し込みコンセント式の電源コード、接続機器２２として１８Ｖ電源出力用の１８Ｖアダプタと、接続機器２３として３６Ｖ電源出力用の３６Ｖアダプタが電源出力部１２の各接続コネクタ１２ａ，１２ｂ，１２ｃに接続された状態が示されている。接続機器２１（電源コード）は、図示省略した外部機器の電源コンセントに接続して１８Ｖ電源を供給することができる。接続機器２２（１８Ｖアダプタ）は、本体ケース２内に収納したバッテリパック１０と同じバッテリケースを主体とするもので、外部機器２０としてのねじ締め機に取り付けて１８Ｖ電源を供給することができる。接続機器２３（３６Ｖアダプタ）は、外部機器としての例えば刈払い機（図示省略）のバッテリ取り付け部に取り付けて３６Ｖ電源を供給することができる。
【００３０】
以上説明した本実施形態の電源装置Ｐによれば、収納ケース１内に多数のバッテリパック１０を収納して、これらの電力を１８Ｖ又は３６Ｖ電源として出力する大容量の電源装置として利用することができる。係る電源装置Ｐにより、上記ねじ締め機等の充電式電動工具あるいは、比較的大きな電力を要する刈払い機や芝刈機等の園芸工具を長時間連続使用することができる。
【００３１】
本実施形態の電源装置Ｐは、他の電源装置Ｐあるいは他の電動工具の収納ケース３０と段積み状態で一体に取り扱うことができる。図８には、電動工具の収納ケース３０の上側に本実施形態の電源装置Ｐを段積みした状態が示されている。下側の収納ケース３０は、上記例示した本実施形態の電源装置Ｐの収納ケース１と同様の構成を備えている。同様の部材及び構成については同位の符号を付してその説明を省略する。上段側の収納ケース１と下段側の収納ケース３０は、下側の収納ケース３０が備えるロック部材５〜８によって相互に一体に結合されている。上段側の電源装置Ｐと下段側の収納ケース３０が相互に一体に結合されることにより、これらを一体で取り扱うことができる。このため、上段側の電源装置Ｐのキャリングハンドル９を把持して、当該電源装置Ｐと収納ケース３０（外部機器２０）を一度に持ち運ぶことができ、当該電源装置Ｐ及び収納ケース３０の取り扱い性及び可搬性が高まる。
【００３２】
電源装置Ｐと収納ケース３０は上下を逆にして段積みした場合であっても、下段側の電源装置Ｐのロック部材５〜８を用いることにより相互に一体に結合することができる。また、収納ケース３０に加えて若しくは代えて、例示した電源装置Ｐをもう一段段積み状態で結合させることができる。例示した電源装置Ｐを上下二段若しくは三段以上に段積みして相互に結合することにより、大容量の電力を一体で取り扱うことができる。
【００３３】
上記例示した実施形態では、１８Ｖ出力のバッテリパック１０を１０個収納した電源装置Ｐを例示したが、収納ケース１をより大型化することによりさらに多くのバッテリパック１０を収納した電源装置とすることができる。また、１８Ｖ出力のバッテリパック１０に加えて若しくは代えて、より低出力若しくは高出力のバッテリパックを収納する構成としてもよい。例えば、５Ｖ、７．２Ｖ、１０．８Ｖ、２４Ｖあるいは２８Ｖ出力のバッテリパックについて適用することができる。５Ｖ出力のバッテリパックを収容する場合は、電源出力部に例えばＵＳＢ（Universal Serial Bus）出力端子を設けることができる。
【００３４】
また、収納ケース１内に、収容したバッテリパック１０の充電をするための充電機能（充電器）を内装しておくことができる。この場合、充電機能に電源を供給するための電源としては例えば商用１００Ｖ電源を電源コードを経て供給する構成とすることができる。
【００３５】
以上説明した電源装置Ｐでは、１０個のバッテリパック１０をケース本体２内に収納した構成を例示したが、バッテリパックをケース本体２の外部に保持して持ち運び可能とすることもできる。図９には、収納ケース４０の左右側部に２個ずつバッテリパック１０を保持可能とする実施形態が示されている。収納ケース４０は、上記例示した収納ケース１，３０と同じ部材及び構成を備えている。同様の部材及び構成について同位の符号を付してその説明を省略する。ケース本体２内には、主として手持ち式の充電式電動工具及びその周辺機器を収納することができる。
【００３６】
図１０に示すようにケース本体２の左右側部には、それぞれ２つのバッテリ保持部４１が設けられている。各バッテリ保持部４１は、一対のレール部４１ａを有している。一対のレール部４１ａは、前記したバッテリ取り付け部１１のレール部１１ａと同じ間隔及び形状で形成されている。バッテリ保持部４１に対して上側からバッテリパック１０を下方へ向けてスライドさせてレール受け部１０ａにこのレール部４１ａを係合させることにより、当該バッテリパック１０をバッテリ保持部４１に保持することができる。
【００３７】
上記したようにバッテリパック１０を下方へスライドさせてバッテリ保持部４１に保持すると、ロック爪部１０ｅが蓋部３の側部に設けた係合凹部４２に弾性的に係合する。ばね付勢されたロック爪部１０ｅが係合凹部４２に進入して弾性的に係合されることにより、バッテリパック１０のバッテリ保持部４１に対する保持状態がロックされる。
【００３８】
バッテリ保持部４１からバッテリパック１０を取り外すには、それぞれのアンロックボタン１０ｆを指先で押し下げ操作してロック爪部１０ｅを係合凹部４２から退避させればよい。また、蓋部３を上方へ回動させて開放することにより、各ロック爪部１０ｅの係合凹部４２に対する係合状態が解除されることから、各アンロックボタン１０ｆをわざわざ押し下げ操作しなくとも、４個のバッテリパック１０を迅速にバッテリ保持部４１から取り外すことができる。
【００３９】
上記した収納ケース４０についても、他の収納ケース４０と間で段積み状態に結合して一体に取り扱い可能とすることができる。また、当該収納ケース４０と前記した電源装置１や収納ケース３０との間でも上下に段積みして一体化することができる。
【００４０】
上記例示した収納ケース４０によれば、複数個のバッテリパック１０をケース本体２の外部に保持しておくことができる。バッテリパック１０をケース本体２の外部に保持する構成であるので、ケース本体２内のバッテリパック収納スペースを省略して当該ケース本体２内の空きスペースを有効活用することができる。
【００４１】
また、ケース本体２の外部にバッテリパック１０を保持しておくことができるので、ケース本体２内に十分な収納スペースを確保できない場合であっても、複数個のバッテリパック１０を当該収納ケース４０と一体で持ち運ぶことができる。複数個のバッテリパック１０は、予備バッテリとして利用され、あるいはケース本体２内に収納した電動工具の電源として例えば２個同時に利用される。
【００４２】
以上説明した各実施形態にはさらに変更を加えることができる。例えば、電源装置Ｐの収納ケース１、収納ケース３０，４０について、前面左右と左右側部の合計４箇所のロック部材５〜８により段積み状態で結合可能とする構成を例示したが、係る段積み結合構造（ロック部材７，８、連結凸部２ｃ等）は省略してもよい。
【００４３】
また、収納ケース４０ついて、左右側部に合計４個のバッテリパック１０を保持可能な構成を例示したが、保持可能なバッテリパック１０の個数については必要に応じて増減してもよい。バッテリ保持部は、ケース本体２の左右側部に限らず、前面や後面に設けることもできる。また、蓋部３の上面に設けることもできる。
【符号の説明】
【００４４】
Ｐ…電源装置
１…収納ケース
２…ケース本体
２ａ…本体側上凹部、２ｂ…本体側凸部、２ｃ…連結凸部、２ｄ…本体側下凹部
３…蓋部
３ａ…蓋側凹部、３ｂ…蓋側凸部、３ｃ…挿通孔、３ｄ…ベルト掛け部
４…ヒンジ部
５〜８…ロック部材
９…キャリングハンドル
１０…バッテリパック
１０ａ…レール受け部、１０ｂ，１０ｃ…正負の端子受け部、１０ｄ…コネクタ部
１１…バッテリ取り付け部
１１ａ…レール部、１１ｂ，１１ｃ…正負の接続端子、１１ｄ…係合凹部
１１ｅ…ロック爪、１０ｆ…アンロックボタン
１２…電源出力部、１２ａ，１２ｂ，１２ｃ…接続コネクタ
１３…電源制御装置、１３ａ…起動ボタン、１３ｂ…切り替えボタン
２１…接続機器（電源コード）
２２…接続機器（１８Ｖアダプタ）
２３…接続機器（３６Ｖアダプタ）
３０…収納ケース
４０…収納ケース
４１…バッテリ保持部、４１ａ…レール部
４２…係合凹部
【図１】
0006661701.tif 000002
【図２】
0006661701.tif 000003
【図３】
0006661701.tif 000004
【図４】
0006661701.tif 000005
【図５】
0006661701.tif 000006
【図６】
0006661701.tif 000007
【図７】
0006661701.tif 000008
【図８】
0006661701.tif 000009
【図９】
0006661701.tif 000010
【図１０】
0006661701.tif 000011